(57)【要約】  情報記録装置（２００）は、第１記録層（Ｌ０）及び第２記録層を備える情報記録媒体（１００）に対してデータを記録する記録手段（３５３）と、第１記録層及び第２記録層の夫々に交互にデータを記録するように記録手段を制御する第１制御手段（３５４）と、情報再生装置における再生互換を図るための互換化エリア（１０６、１０９、１１６、１１９）を、第１記録層及び第２記録層の夫々に記録されたデータに続けて形成する形成手段（３５４）と、互換化エリアを形成した後にデータの記録を行う場合に、形成された互換化エリアにデータを記録するように記録手段を制御する第２制御手段（３５４）とを備える。
2007072862.tif 000002
【特許請求の範囲】
【請求項１】
第１記録層及び第２記録層を備える情報記録媒体に対してデータを記録する記録手段と、
前記第１記録層及び前記第２記録層の夫々に前記データを記録するように前記記録手段を制御する第１制御手段と、
情報再生装置における前記情報記録媒体の再生互換を図るための互換化エリアを、前記第１記録層及び前記第２記録層の夫々に記録された前記データに続けて形成する形成手段と、
前記互換化エリアを形成した後に前記データの記録を行う場合に、前記形成された互換化エリアに前記データを記録するように前記記録手段を制御する第２制御手段と
を備えることを特徴とする情報記録装置。
【請求項２】
前記情報記録媒体の所望の記録領域に対して、前記データの記録を可能にするためのフォーマット処理を施すフォーマット手段を更に備え、
前記第２制御手段は、前記互換化エリアの始端部より前記フォーマット処理を施すように前記フォーマット手段を制御することを特徴とする請求の範囲第１項に記載の情報記録装置。
【請求項３】
前記記録手段は、複数種類の属性のうち記録されるデータに応じた属性を、細分化されたエリア単位毎に付与しながら前記データを記録し、
前記形成手段は、前記複数種類の属性のうち前記再生互換を図るためのデータが記録されていることを示す互換化エリア属性を、細分化されたエリア単位毎に付与しながら前記互換化エリアを形成し、
前記第２制御手段は、前記互換化エリアの属性を、前記データのうちのユーザデータが記録されている状態を示すデータエリア属性に変更することを特徴とする請求の範囲第１項に記載の情報記録装置。
【請求項４】
前記複数種類の属性は、リードインエリア属性、リードアウトエリア属性、前記データエリア属性及び互換化エリア属性のうち少なくとも一つを含むことを特徴とする請求の範囲第３項に記載の情報記録装置。
【請求項５】
第１記録層及び第２記録層を備える情報記録媒体に対してデータを記録する記録手段を備える情報記録装置における情報記録方法であって、
前記第１記録層及び前記第２記録層の夫々に前記データを記録するように前記記録手段を制御する第１制御工程と、
情報再生装置における前記情報記録媒体の再生互換を図るための互換化エリアを、前記第１記録層及び前記第２記録層の夫々に記録された前記データに続けて形成する形成工程と、
前記互換化エリアを形成した後に前記データの記録を行う場合に、前記形成された互換化エリアに前記データを記録するように前記記録手段を制御する第２制御工程と
を備えることを特徴とする情報記録方法。
【請求項６】
請求の範囲第１項に記載の情報記録装置に備えられたコンピュータを制御する記録制御用のコンピュータプログラムであって、該コンピュータを、前記第１制御手段、前記形成手段及び前記第２制御手段のうち少なくとも一部として機能させることを特徴とするコンピュータプログラム。
【発明の詳細な説明】
【技術分野】
【０００１】
本発明は、例えばＤＶＤレコーダ等の情報記録装置及び方法、並びにコンピュータをこのような情報記録装置として機能させるコンピュータプログラムの技術分野に関する。
【背景技術】
【０００２】
例えば、ＤＶＤ−ＲＯＭ（ＤＶＤ−Read Only Memory）、ＤＶＤ−Ｒ（ＤＶＤ−Recordable）、ＢＤ−ＲＯＭ（Blu-ray Disc−ＲＯＭ）等の情報記録媒体では、特許文献１、２等に記載されているように、同一基板上に複数の記録層が積層、または貼り合わされてなる多層型若しくはデュアルレイヤ型の光ディスク等の情報記録媒体も開発されている。そして、このようなデュアルレイヤ型、即ち、２層型の光ディスクのうち２層型のＤＶＤ−Ｒに記録を行う場合は、ＤＶＤレコーダ等の情報記録装置は、レーザ光の照射側から見て最も手前側（即ち、光ピックアップに近い側）に位置する記録層（本願では適宜「Ｌ０層」と称する）に対して記録用のレーザ光を集光することで、Ｌ０層に対してデータを熱変化記録方式（言い換えれば、非可逆記録方式）で記録し、Ｌ０層等を介して、レーザ光の照射側から見てＬ０層の奥側（即ち、光ピックアップから遠い側）に位置する記録層（本願では適宜「Ｌ１層」と称する）に対して該レーザ光を集光することで、Ｌ１層に対して情報を熱変化記録方式で記録することになる。【０００３】
【特許文献１】特開２０００−３１１３４６号公報
【特許文献２】特開２００１−２３２３７号公報
【発明の開示】
【発明が解決しようとする課題】
【０００４】
ＤＶＤやＣＤでは、ＲＯＭディスクとＲ／ＲＷディスクとで異なるトラッキング方式を用いる。したがって、再生専用機では通常ＤＶＤ−ＲやＤＶＤ−ＲＷディスク等の未記録部分に正しくアクセスすることはできない。一方、データが記録済みの部分に関しては、ＲＯＭと互換性のある信号が記録されるので再生専用機でも正しく再生することが可能になる。１層型の光ディスクにおいては、再生専用機で再生可能なようにするために例えばリードイン、データ、リードアウトの連続領域を記録してＲＯＭディスクと同様の構成にする。なお、リードイン、リードアウトはピックアップが内周、もしくは外周の未記録部に飛び出すのを防ぐ緩衝領域としての役割をもっている。【０００５】
一方、２層型の光ディスクにおいては、再生専用機で再生可能なようにディスクを構成するためには、２層のＲＯＭディスクと基本的に同様な構成をとる必要がある。すなわち、最内周のＬ０層にはリードインを、最内周のＬ１層にはリードアウトを記録し、記録されたデータの最外周部には、Ｌ０、Ｌ１層共に上下対称となるようにミドルエリアと等価な構造が記録される必要がある。リードインまたはリードアウトとミドルエリアにはさまれた領域にはデータが記録されるが、未記録な部分が残らないように構成する必要がある。すなわち、Ｌ０層のデータ記録領域と対称な場所にあるＬ１層も記録済みとする必要がある。【０００６】
ＤＶＤ−ＲやＣＤ−Ｒでは、データ記録中はリードイン、リードアウトを記録せずに記録を行い、ユーザの指示により再生機との互換が必要になった場合にファイナライズ処理を行いリードイン、リードアウト等を記録しＲＯＭディスクと互換がある状態にする。一方、書き換え可能なＤＶＤ−ＲＷでは、最初からＲＯＭディスクと同様の構造を生成するフォーマット処理（通常フォーマット）に加えて、必要最小限の管理情報のみを記録して記録を開始するためのクイックフォーマット処理が定義されている。クイックフォーマット処理されたディスクは、未記録部分に対してはＤＶＤ−Ｒと同様に記録部後端部から追記を行う必要がある。また、記録中はリードイン、リードアウト等は完全な形で記録されていないためＤＶＤ−Ｒと同様にファイナライズ処理（または互換クローズ処理）を行うことにより、再生専用機で再生可能にする必要がある。【０００７】
２層ディスクにおいて、このような追記に記録を行う場合、ユーザの指示に応じて直ちに再生専用機との互換状態にするための手段として、Ｌ０層とＬ１層との夫々に対して、交互にデータを記録するレイヤージャンプ記録が主として行われる。レイヤージャンプ記録の一つの具体的な態様としては、あるサイズのデータを記録する場合には、その半分のサイズのデータをＬ０層に記録すると共に、残りの半分のサイズのデータをＬ１層に記録する。【０００８】
このようなレイヤージャンプ記録が行われる場合には、レイヤージャンプ記録により記録されたデータをＲＯＭドライブ等の情報再生装置で再生するために、上記ファイナライズ処理（言い換えれば、互換クローズ処理）を行う必要がある。具体的には、ファイナライズ処理により、リードインエリアとリードアウトエリアが形成され、且つ記録されたデータに続いてミドルエリアが形成される。これにより、ＤＶＤ−ＲＷ等の書き換え可能な光ディスクにおけるデータ構造と、ＤＶＤ−ＲＯＭ等の再生専用な光ディスクにおけるデータ構造とを概ね同様にすることができる。その結果、レイヤージャンプ記録により記録されたデータをＲＯＭドライブ等の情報再生装置で再生することができる。【０００９】
ＤＶＤ−Ｒのような追記型ディスクでは、ファイナライズ処理を行った後、ミドルエリアのような緩衝エリア（ボーダーゾーン）の外周部に未記録部分があれば、再度追記していくことが可能である。しかしながら、ファイナライズ処理によってミドルエリアが形成されるため、追記処理とファイナライズ処理を繰り返すことによって、映画や音楽等の各種コンテンツを含むユーザデータを記録するための記録容量が減少してしまう。つまり、ミドルエリアには、ユーザデータを記録することができないため、ファイナライズ処理を複数回行うことで複数のミドルエリアが光ディスク上に形成されればされるほど、ユーザデータを記録するための記録容量が減少してしまう。【００１０】
本発明は、例えば上述した従来の問題点に鑑みなされたものであり、例えば記録容量を有効に利用することを可能とならしめる情報記録装置及び方法、並びにコンピュータをこのような情報記録装置として機能させるコンピュータプログラムを提供することを課題とする。
【課題を解決するための手段】
【００１１】
上記課題を解決するために、本発明の情報記録装置は、第１記録層及び第２記録層を備える情報記録媒体に対してデータを記録する記録手段と、前記第１記録層及び前記第２記録層の夫々に前記データを記録するように前記記録手段を制御する第１制御手段と、情報再生装置における前記情報記録媒体の再生互換を図るための互換化エリアを、前記第１記録層及び前記第２記録層の夫々に記録された前記データに続けて形成する形成手段と、前記互換化エリアを形成した後に前記データの記録を行う場合に、前記形成された互換化エリアに前記データを記録するように前記記録手段を制御する第２制御手段とを備える。【００１２】
上記課題を解決するために、本発明の情報記録方法は、第１記録層及び第２記録層を備える情報記録媒体に対してデータを記録する記録手段を備える情報記録装置における情報記録方法であって、前記第１記録層及び前記第２記録層の夫々に前記データを記録するように前記記録手段を制御する第１制御工程と、情報再生装置における前記情報記録媒体の再生互換を図るための互換化エリアを、前記第１記録層及び前記第２記録層の夫々に記録された前記データに続けて形成する形成工程と、前記互換化エリアを形成した後に前記データの記録を行う場合に、前記形成された互換化エリアに前記データを記録するように前記記録手段を制御する第２制御工程とを備える。【００１３】
上記課題を解決するために、本発明のコンピュータプログラムは、上述した本発明の情報記録装置に備えられたコンピュータを制御する記録制御用のコンピュータプログラムであって、該コンピュータを、前記第１制御手段、前記形成手段及び前記第２制御手段のうち少なくとも一部として機能させる。【００１４】
本発明の作用及び他の利得は次に説明する実施の形態から明らかにされよう。
【図面の簡単な説明】
【００１５】
【図１】本実施例に係る光ディスクの基本構造を示した概略平面図であり、該光ディスクの概略断面図と、これに対応付けられた、その半径方向における記録領域構造の図式的概念図である。
【図２】光ディスクの概略断面図と、これに対応付けられた、その半径方向における記録領域構造の図式的概念図である。
【図３】通常フォーマット処理が施された後の光ディスク１００のデータ構造を概念的に示す説明図、及びクイックフォーマット処理が施された後の光ディスク１００のデータ構造を概念的に示す説明図である。
【図４】光ディスクの状態の遷移を概念的に示す図である。
【図５】データが記録される際に付与される属性に関連するデータ構造を概念的に示すデータ構造図である。
【図６】本実施例に係る情報記録再生装置の基本的な構成を概念的に示すブロック図である。
【図７】本実施例に係る情報記録再生装置による光ディスクへのデータの記録が行われている際の、光ディスク上のデータ構造を概念的に示すデータ構造図である。
【図８】図７に示す状態に対してクイックグローフォーマット処理が行われた際の、光ディスク上の一のデータ構造を概念的に示すデータ構造図である。
【図９】図８に示す状態に対してデータの記録及びファイナライズ処理が行われた際の、光ディスク上のデータ構造を概念的に示すデータ構造図である。
【図１０】図７に示す状態に対してクイックグローフォーマット処理が行われた際の、光ディスク上の他のデータ構造を概念的に示すデータ構造図である。
【図１１】図９に示す状態に対して、クイックグローフォーマット処理、データの記録及びファイナライズ処理が行われた際の、光ディスク上のデータ構造を概念的に示すデータ構造図である。
【図１２】データエリアの全体にデータが記録されたときの、光ディスク上のデータ構造を概念的に示すデータ構造図である。
【図１３】図７から図１２における態様でデータの記録が行われた際の、光ディスクの論理ボリューム空間上のデータ構造を概念的に示すデータ構造図である。
【符号の説明】
【００１６】
１００  光ディスク
１０２  リードインエリア
１０５、１１５  データエリア
１０６、１１６  シフテッドミドルエリア
１０９、１１９  固定ミドルエリア
１１８  リードアウトエリア
２００  情報記録再生装置
３００  ディスクドライブ
３５２  光ピックアップ
３５３  信号記録再生手段
３５４  ＣＰＵ
４００  ホストコンピュータ
【発明を実施するための最良の形態】
【００１７】
以下、発明を実施するための最良の形態として、本発明の情報記録装置及び方法、並びにコンピュータプログラムに係る実施形態の説明を進める。【００１８】
（情報記録装置の実施形態）
本発明の情報記録装置に係る実施形態は、第１記録層及び第２記録層を備える情報記録媒体に対してデータを記録する記録手段と、前記第１記録層及び前記第２記録層の夫々に前記データを記録するように前記記録手段を制御する第１制御手段と、情報再生装置における前記情報記録媒体の再生互換を図るための互換化エリアを、前記第１記録層及び前記第２記録層の夫々に記録された前記データに続けて形成する形成手段と、前記互換化エリアを形成した後に前記データの記録を行う場合に、前記形成された互換化エリアに前記データを記録するように前記記録手段を制御する第２制御手段とを備える。【００１９】
本発明の情報記録装置に係る実施形態によれば、記録手段の動作により、第１記録層及び第２記録層の夫々に、映画や音楽等の各種コンテンツを含むデータを記録することができる。本実施形態では特に、第１制御手段の動作により、第１記録層及び第２記録層の夫々に、例えば交互にデータが記録される。つまり、第１記録層の一部の記録領域にデータが記録され、続いて、当該第１記録層の一部の記録領域に対向する第２記録層の一部の記録領域にデータが記録される。その後、再度第１記録層の他の一部の記録領域にデータが記録され、続いて、当該第１記録層の他の一部の記録領域に対向する第２記録層の他の一部の記録領域にデータが記録される。以降は、このような記録動作が継続される。言い換えれば、第１記録層におけるデータを記録済みの記録領域と、第２記録層におけるデータを記録済みの記録領域とが、略均等に拡張するように、データが記録される。より具体的には、例えば２ＧＢのデータを記録する際には、２ＧＢのデータのうちの１ＧＢのデータが第１記録層の記録領域に記録され、２ＧＢのデータのうちの残りの１ＧＢのデータが、１ＧＢのデータが記録された第１記録層の記録領域に対向する第２記録層の記録領域に記録される。或いは、２ＧＢのデータのうちの１．１ＧＢのデータが第１記録層の記録領域に記録され、２ＧＢのデータのうちの残りの０．９ＧＢのデータ及び０．２ＧＢのパディングデータ（例えば、“００ｈ”データ等）が、１．１ＧＢのデータが記録された第１記録層の記録領域に対向する第２記録層の記録領域に記録されてもよい。このような記録動作を、レイヤージャンプ記録と称する。尚、このレイヤージャンプ記録は、情報記録媒体の全体に対して行う必要はない。情報記録媒体の一部にデータを記録する際にレイヤージャンプ記録を行い、その後、情報記録媒体の他の一部にデータを記録する際にレイヤージャンプ記録以外の記録動作を行ってもよい。【００２０】
本実施形態では特に、形成手段の動作により、例えばファイナライズ処理の際に（更には、情報記録媒体がブランクディスクであれば通常フォーマット処理の際に）、互換化エリア（例えば、後述のシフテッドミドルエリア）が、記録手段の動作により記録されたデータに続けて形成される。互換化エリアは、本実施形態に係る情報記録媒体と、再生専用型の情報記録媒体との互換性を図る機能を有している。言い換えれば、本実施形態に係る情報記録媒体を、再生専用型の情報記録媒体を再生するための情報再生装置で再生するためには、互換化エリアが形成される必要がある。加えて、第１記録層及び第２記録層の夫々に交互にデータを記録する際には、データを記録する記録層を変更するためのレイヤージャンプが行われる。互換化エリアは、このレイヤージャンプを行う際に、レイヤージャンプを行った後にレーザ光等が、データが未記録の記録領域に照射されることを防止する機能を有している。また、互換化エリアは、該互換化エリアよりも外周側に向かってレーザ光の照射位置が飛び出してしまうことを防止する機能を有している。つまり、互換化エリアは、複数の記録層を有する情報記録媒体に対してレイヤージャンプ記録を行う場合には、極めて必要性の高い記録エリアであると言える。【００２１】
そして、互換化エリアを形成した後にデータの記録を行う場合には、互換化エリアにもデータが記録される。言い換えれば、互換化エリアを形成した後にデータの記録を行う場合には、互換化エリアをそのまま情報記録媒体上に残すことなく、互換化エリアにデータが上書きされる。従って、互換化エリアは、ファイナライズ処理を複数回行ったとしても、映画や音楽等の各種コンテンツを含むデータを記録することができない記録領域として残ることはない。つまり、一度互換化エリアが形成された記録領域に対しても、ユーザが望むデータを記録することができる。【００２２】
これにより、レイヤージャンプ記録を行うことで互換化エリアを必然的に形成したとしても、必要に応じて、当該互換化エリアにも、ユーザが望む各種データを記録することができる。従って、ユーザが望む各種データを記録することができる記録エリアの記録容量を減少させることなく、レイヤージャンプ記録を行うことができる。つまり、単に互換化エリアを形成しながらレイヤージャンプ記録を行うのみでは決して得ることのできない「情報記録媒体の記録容量を効率的に利用することができる」という優れた効果を、本実施形態に係る情報記録装置によれば、享受することができる。【００２３】
本発明の情報記録装置に係る実施形態の一の態様は、前記情報記録媒体の所望の記録領域に対して、前記データの記録を可能にするためのフォーマット処理を施すフォーマット手段を更に備え、前記第２制御手段は、前記互換化エリアの始端部より前記フォーマット処理を施すように前記フォーマット手段を制御する。【００２４】
この態様によれば、第２制御手段の動作により、互換化エリアの始端部よりフォーマット処理（例えば、後述のクイックグローフォーマット処理）を施すように、フォーマット手段が制御される。従って、互換化エリアは、情報記録媒体上に残ることなく、一度互換化エリアが形成された記録領域に対しても、ユーザが望むデータを記録することができる。従って、上述の如く、従って、ユーザが望む各種データを記録することができる記録エリアの記録容量を減少させることなく、複数の記録層にデータを効率的に記録するためには最適なレイヤージャンプ記録を行うことができる。【００２５】
本発明の情報記録装置に係る実施形態の他の態様は、前記記録手段は、複数種類の属性のうち記録されるデータデータに応じた属性を、細分化されたエリア単位毎に付与しながら前記データを記録し、前記形成手段は、前記複数種類の属性のうち再生互換を図るためのデータが記録されていることを示す互換化エリア属性を、細分化されたエリア単位毎に付与しながら前記互換化エリアを形成し、前記第２制御手段は、前記互換化エリアの属性を、前記データのうちのユーザデータ（例えば、映画データや、音楽データや、ＰＣ用データ等のコンテンツデータ等）を記録可能な状態を示すデータエリア属性に変更する。【００２６】
この態様によれば、情報記録媒体にデータが記録される際には、細分化されたエリア単位毎に（例えば、後述のセクタ毎に）、該エリア単位に記録されるデータに応じた属性が付与される。そして、互換化エリアが形成される記録領域には、互換化エリア属性（具体的には、後述のミドルエリア属性）が付与される。そして、互換化エリアを形成した後にデータの記録を行う場合には、第２制御手段は、互換化エリアが形成された記録領域の属性を、ユーザデータを記録可能な状態を示すデータエリア属性に変更する。その結果、一度互換化エリアが形成された記録領域に対しても、ユーザが望むデータを記録することができる。従って、上述の如く、従って、ユーザが望む各種データを記録することができる記録エリアの記録容量を減少させることなく、複数の記録層にデータを効率的に記録するためには最適なレイヤージャンプ記録を行うことができる。【００２７】
上述の如く属性を付与しながらデータを記録する情報記録装置の態様では、前記前記複数種類の属性は、リードインエリア属性、リードアウトエリア属性、前記データエリア属性及び互換化エリア属性のうち少なくとも一つを含むように構成してもよい。【００２８】
このように構成すれば、情報記録媒体上の記録領域の属性を好適に識別することができる。【００２９】
（情報記録方法の実施形態）
本発明の情報記録方法に係る実施形態は、第１記録層及び第２記録層を備える情報記録媒体に対してデータを記録する記録手段を備える情報記録装置における情報記録方法であって、前記第１記録層及び前記第２記録層の夫々に前記データを記録するように前記記録手段を制御する第１制御工程と、情報再生装置における前記情報記録媒体の再生互換を図るための互換化エリアを、前記第１記録層及び前記第２記録層の夫々に記録された前記データに続けて形成する形成工程と、前記互換化エリアを形成した後に前記データの記録を行う場合に、前記形成された互換化エリアに前記データを記録するように前記記録手段を制御する第２制御工程とを備える。【００３０】
本発明の情報記録方法に係る実施形態によれば、上述した本発明の情報記録装置に係る実施形態が有する各種利益と同様の利益を享受することができる。【００３１】
尚、上述した本発明の情報記録装置に係る実施形態における各種態様に対応して、本発明の情報記録方法に係る実施形態も各種態様を採ることが可能である。【００３２】
（コンピュータプログラムの実施形態）
本発明のコンピュータプログラムに係る実施形態は、上述した本発明の情報記録装置に係る実施形態（但し、各種態様を含む）に備えられたコンピュータを制御する記録制御用のコンピュータプログラムであって、該コンピュータを、前記第１制御手段、前記形成手段及び前記第２制御手段のうち少なくとも一部として機能させる。【００３３】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置に係る実施形態を比較的簡単に実現できる。【００３４】
尚、上述した本発明の情報記録装置に係る実施形態における各種態様に対応して、本発明のコンピュータプログラムに係る実施形態も各種態様を採ることが可能である。【００３５】
上記課題を解決するために、本発明のコンピュータ読取可能な媒体内のコンピュータプログラム製品に係る実施形態は、上述した本発明の情報記録装置に係る実施形態（但し、その各種態様を含む）に備えられたコンピュータにより実行可能なプログラム命令を明白に具現化し、該コンピュータを、前記第１制御手段、前記形成手段及び前記第２制御手段のうち少なくとも一部として機能させる。【００３６】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置に係る実施形態を比較的容易に実施可能となる。更に具体的には、当該コンピュータプログラム製品は、上述した本発明の情報記録装置に係る実施形態として機能させるコンピュータ読取可能なコード（或いはコンピュータ読取可能な命令）から構成されてよい。【００３７】
尚、上述した本発明の情報記録装置に係る実施形態における各種態様に対応して、本発明のコンピュータプログラム製品に係る実施形態も各種態様を採ることが可能である。【００３８】
本実施形態のこのような作用及び他の利得は次に説明する実施例から更に明らかにされよう。【００３９】
以上説明したように、本発明の情報記録装置に係る実施形態によれば、記録手段と、第１制御手段と、形成手段と、第２制御手段とを備える。本発明の情報記録方法に係る実施形態によれば、第１制御工程と、形成工程と、第２制御工程とを備える。本発明のコンピュータプログラムに係る実施形態によれば、コンピュータを第１制御手段、形成手段及び第２制御手段の少なくとも一部として機能させる。従って、情報記録媒体の記録容量を有効に利用することができる。
【実施例】
【００４０】
以下、本発明の実施例を図面に基づいて説明する。【００４１】
（情報記録媒体）
初めに、図１を参照して、本発明の情報記録装置に係る実施例によりデータが記録される光ディスク１００について説明を進める。ここに、図１（ａ）は、本実施例に係る光ディスク１００の基本構造を示した概略平面図であり、図１（ｂ）は、該光ディスク１００の概略断面図と、これに対応付けられた、その半径方向における記録領域構造の図式的概念図である。【００４２】
図１（ａ）及び図１（ｂ）に示されるように、光ディスク１００は、例えば、ＤＶＤと同じく直径１２ｃｍ程度のディスク本体上の記録面に、センターホール１０１を中心として、リードインエリア（Lead-In Area）１０２又はリードアウトエリア（Lead-Out Area）１１８、データエリア１０５及び１１５、固定ミドルエリア（Fixed Middle Area）１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。【００４３】
尚、本発明は、このような三つのエリアを有する光ディスクには特に限定されない。例えば、リードインエリア１０２、リードアウトエリア１１８又は固定ミドルエリア１０９（１１９）が存在せずとも、以下に説明するデータ構造等の構築は可能である。また、リードインエリア１０２、リードアウトエリア１１８又は固定ミドルエリア１０９（１１９）は更に細分化された構成であってもよい。【００４４】
特に、本実施例に係る光ディスク１００は、図１（ｂ）に示されるように、例えば、透明基板１１０に、本発明に係る第１及び第２記録層の一例を構成するＬ０層及びＬ１層が積層された構造をしている。このような２層型の光ディスク１００の記録再生時には、図１（ｂ）中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。【００４５】
そして、本実施例に係る光ディスク１００においては、Ｌ０層とＬ１層の夫々に交互にデータを記録するレイヤージャンプ記録が採用されている。レイヤージャンプ記録について具体的に説明すると、Ｌ０層の一部の記録領域にデータを記録した後、該Ｌ０層の一部の記録領域に対向するＬ１層の一部の記録領域にデータを記録する。その後、Ｌ０層の他の一部の記録領域にデータを記録した後、該Ｌ０層の他の一部の記録領域に対向するＬ１層の他の一部の記録領域にデータを記録する。以降は、この動作が繰り返される。【００４６】
また、本実施例に係る光ディスク１００は、２層片面、即ち、デュアルレイヤに限定されるものではなく、２層両面、即ちデュアルレイヤーダブルサイドであってもよい。更に、上述の如く２層の記録層を有する光ディスクに限られることなく、３層以上の多層型の光ディスクであってもよい。【００４７】
尚、固定ミドルエリア１０９（１１９）は、データエリア１０５（１１５）の全体にデータが記録された後に、例えばＤＶＤ−ＲＯＭ等の再生専用の光ディスクと本実施例に係る光ディスク１００との互換性を図るために形成される。つまり、２層型の再生専用の光ディスク上のエリア構造と、本実施例に係る光ディスク１００上のエリア構造とを、同様にするために、固定ミドルエリア１０９（１１９）が形成される。加えて、固定ミドルエリア１０９（１１９）は、データエリア１０５（１１５）の全体にデータが記録された後に、記録層を変更するためのレイヤージャンプを行う際の或いは固定ミドルエリア１０９（１１９）付近へアクセスする際の、光ピックアップの未記録エリア（具体的には、ミドルエリア１０９（１１９）の外周側）への飛び出しを防止するための機能を有する。データエリア１０５（１１５）の一部にしかデータが記録されていない場合には、固定ミドルエリア１０９（１１５）に代えて、シフテッドミドルエリア（shifted Middle Area）１０６（１１６）が用いられる。【００４８】
ここで、図２を参照して、シフテッドミドルエリア１０６（１１６）について説明する。ここに、図２は、該光ディスク１００の概略断面図と、これに対応付けられた、その半径方向における記録領域構造の図式的概念図である。【００４９】
図２に示すように、シフテッドミドルエリア１０６は、データエリア１０５の一部に記録されたデータに続けてデータエリア１０５内に設けられる。同様に、シフテッドミドルエリア１１６は、データエリア１１５の一部に記録されたデータに続けてデータエリア１１５内に設けられる。【００５０】
シフテッドミドルエリア１０６（１１６）が設けられることで、データエリア１０５（１１５）の一部にしかデータが記録されていない場合であっても、ＤＶＤ−ＲＯＭ等の再生専用の光ディスクと本実施例に係る光ディスク１００との互換性を図ることができる。加えて、レイヤージャンプを行う際の光ピックアップの、未記録エリアへの飛び出しを防止することができる。また、レイヤージャンプを行わない場合であっても、光ピックアップの、シフテッドミドルエリア１０６（１１６）よりも外周側の未記録エリアへの飛び出しを防止することができる。このため、再生専用型の情報再生装置は、当該光ディスク１００に記録されたデータを再生することができる。【００５１】
つまり、シフテッドミドルエリア１０６（１１６）は、データエリア１０５（１１５）の一部にしかデータが記録されていない場合における、光ピックアップの飛び出しを防止する機能と、再生専用型の光ディスクとの互換性を保つ機能との双方を有している。特に、レイヤージャンプ記録を行う場合には、データエリア１０５（１１５）の一部にしかデータが記録されないことが多々生じ得る。従って、シフテッドミドルエリア１０６（１１６）は、レイヤージャンプ記録を行う際に特に有効に用いられる。【００５２】
他方で、固定ミドルエリア１０９（１１９）は、データエリア１０５（１１５）の全体にデータが記録された場合における、光ピックアップの飛び出しを防止する機能と、再生専用型の光ディスクとの互換性を保つ機能との双方を有している。【００５３】
リードインエリア１０２や、リードアウトエリア１１８や、固定ミドルエリア１０９（１１９）や、シフテッドミドルエリア１０６（１１６）には、光ディスク１００に対して通常フォーマット処理が施されることで、所定のデータ（例えば、各種制御データや、“００ｈ”等のパディングデータ等）が記録される。更には、光ディスク１００には、通常フォーマット処理に加えて、必要最小限の管理情報のみを記録してデータの記録を開始するためのクイックフォーマット処理も施される。【００５４】
ここで、図３及び図４を参照して、通常フォーマット処理及びクイックフォーマット処理について具体的に説明する。ここに、図３は、通常フォーマット処理が施された後の光ディスク１００のデータ構造を概念的に示す説明図（図３（ａ））、及びクイックフォーマット処理が施された後の光ディスク１００のデータ構造を概念的に示す説明図（図３（ｂ））であり、図４は、光ディスク１００の状態の遷移を概念的に示す図である。【００５５】
図３（ａ）に示すように、通常フォーマット処理が施される場合、リードインエリア１０２にリードインエリア属性を付与しながら所定のデータを記録し、リードアウトエリア１１８にリードアウト属性を付与しながら所定のデータを記録する。【００５６】
また、データエリア１０５に記録されたデータに続く記録領域に、ミドルエリア属性を付与しながら所定のデータを記録することで、シフテッドミドルエリア１０６を形成しデータエリア１１５に記録されたデータに続く記録領域に、ミドルエリア属性を付与しながら所定のデータを記録することで、シフテッドミドルエリア１１６を形成する。或いは、後述のホストコンピュータ等から要求されたフォーマットサイズに応じて、データエリア１０５（１１５）にデータエリア属性を付与しながら所定のデータを記録し、該記録されたデータに続いて、シフテッドミドルエリア１０６（１１６）を形成するように構成してもよい。【００５７】
このように通常フォーマット処理を施すことで、光ディスク１００上のエリア構成と、再生専用型の光ディスク上のエリア構成とを、概ね同一にすることができる。図３（ａ）に示す光ディスク１００の状態を、“コンプリート状態”と称する。【００５８】
他方、図３（ｂ）に示すように、クイックフォーマット処理が施される場合、リードインエリア１０２には、必要最小限のデータが、データエリア属性を付与しながら記録される。また、後述のホストコンピュータ等から要求されたフォーマットサイズに応じて、データエリア１０５（或いは、１１５）に、データエリア属性を付与しながら必要に応じて所定のデータを記録する。記録されたデータに続いて、３２ＥＣＣブロックのサイズを有する中間リードアウトエリア１０８が形成される。中間リードアウトエリア１０８には、リードアウトエリア属性が付与されながら、必要に応じて所定のデータが記録される。図３（ｂ）に示す光ディスク１００の状態を、“中間状態”と称する。【００５９】
尚、ホストコンピュータ等から要求されるフォーマットサイズは“０”であってもよい。この場合、データエリア属性が付与されながらリードインエリア１０２に記録されたデータに隣接するように、中間リードアウトエリア１０８が形成される。【００６０】
クイックフォーマット処理を施すことで、データエリア属性が付与されたデータエリア１０５の一部の記録領域に、データを記録することができる。より具体的には、データが記録されていない記録領域（言い換えれば、何の属性も付与されていない記録領域）においては、データをシーケンシャルに（言い換えれば、内周側から外周側に向かって連続的に）記録する必要がある。つまり、次にデータを記録可能な記録領域を示すＮＷＡ（Next Writable Address）が、データが記録されていない記録領域の先頭部分を示しているため、ＮＷＡよりも外周側の記録領域においては、ＮＷＡが示す記録領域から順に（即ち、シーケンシャルに）データを記録する必要がある。しかしながら、ＮＷＡが示す位置よりも内周側に位置するデータエリア属性が付与された記録領域においては、所望の位置に（即ち、ランダムに）データを記録することができる。このように、クイックフォーマット処理は、ＮＷＡを更新して、データを記録可能な記録領域を拡大する機能も有しているとも言える。【００６１】
そして、クイックフォーマット処理が施された光ディスク１００は、通常フォーマット処理が行われた場合と違って、リードインエリア１０２やリードアウトエリア１１８等に、必要なデータが全て記録されていない。従って、クイックフォーマット処理を施した後には、更にファイナライズ処理が施されることで、光ディスク１００上のデータの記録の態様に応じた各種管理情報ないしは各種制御情報が、リードインエリア１０２やリードアウトエリア１１８等に記録される。更に、記録されたデータに続いてシフテッドミドルエリア１０６（１１６）や固定ミドルエリア１０９（１１９）が形成されると共に、リードインエリア１０２とシフテッドミドルエリア１０６（ないしは、固定ミドルエリア１０９）との間の未記録エリア及びリードアウトエリア１０２とシフテッドミドルエリア１１６（ないしは、固定ミドルエリア１１９）との間の未記録エリアに、例えば“００ｈ”データ等のパディングデータが記録される。これにより、本実施例に係る光ディスク１００を、再生専用型の情報再生装置において再生することができる。【００６２】
尚、光ディスク１００に記録するデータのサイズによっては、Ｌ０層に記録されるデータのサイズと、Ｌ１層に記録されるデータのサイズとが同一にならない場合があり得る。具体的には、例えばＬ０層の内周側から外周側に向かってｘＧＢのデータが記録され、レイヤージャンプした後に、Ｌ１層の外周側から内周側に向かってｘ／２ＭＢのデータが記録される場合があり得る。この場合、データが既に記録されているＬ０層の記録領域に対向するＬ１層には、データが記録されていない記録領域が存在している。他方で、データを安定的に再生するという観点からは、データが既に記録されているＬ０層の記録領域に対向するＬ１層の記録領域には、何らかのデータが記録されている（言い換えれば、ミラー状態でない）必要がある。従って、データが既に記録されているＬ０層の記録領域に対向し、且つデータが記録されていないＬ１層の記録領域には、データエリア属性を付与しながら所定のデータを記録する必要がある。或いは、データが既に記録されているＬ０層の記録領域に対向し、且つデータが記録されていないＬ１層の記録領域には、リードアウトエリア属性を付与しながら所定のデータ（即ち、パディングデータ等）を記録するように構成してもよい。【００６３】
また、図３（ａ）に示すコンプリート状態の光ディスク１００に対して、シフテッドミドルエリア１０６（１１６）等にデータエリア属性を付与しながら所定のデータを記録するクイックフォーマット処理を施せば、一旦コンプリート状態になった光ディスク１００に再度データを記録することができる。このように、コンプリート状態になった光ディスク１００に再度データを記録するために施すクイックフォーマット処理を、クイックグローフォーマット処理とも称することができる。【００６４】
図４に示すように、データが記録されていないブランクな光ディスク１００に対して通常フォーマット処理を施すことで、光ディスク１００の状態を、図３（ａ）に示すコンプリート状態に遷移させることができる。同様に、新しい光ディスク１００に対してクイックフォーマット処理を施すことで、光ディスク１００の状態を、図３（ｂ）に示す中間状態に遷移させることができる。【００６５】
コンプリート状態に遷移した光ディスク１００に通常フォーマット処理を施すことで、光ディスク１００の状態を、図３（ａ）に示すコンプリート状態のまま維持することができる。また、コンプリート状態に遷移した光ディスク１００にクイックフォーマット処理（言い換えれば、クイックグローフォーマット処理）を施すことで、光ディスク１００の状態を、図３（ｂ）に示す中間状態に遷移させることができる。【００６６】
中間状態に遷移した光ディスク１００にクイックフォーマット処理を施すことで、光ディスク１００の状態を、図３（ｂ）に示す中間状態のまま維持することができる。また、中間状態に遷移した光ディスク１００に通常フォーマット処理を施すことで、光ディスク１００の状態を、図３（ｂ）に示すコンプリート状態に遷移させることができる。【００６７】
続いて、図５を参照して、データが記録される際に付与される属性について具体的に説明する。ここに、図５は、データが記録される際に付与される属性に関連するデータ構造を概念的に示すデータ構造図である。【００６８】
属性は、２４１８バイトのサイズを有する物理セクタ毎に、当該物理セクタに記録されるデータに応じて、付与される。一つの物理セクタは、５２バイトのサイズを有するシンク（ＳＹＮＣ）コードと、３０２バイトのサイズを有するＥＣＣ（Error Correction Code）と、２０４８バイトのサイズを有するユーザデータと、４バイトのサイズを有するデータＩＤと、２バイトのサイズを有するＩＥＤと、６バイトのサイズを有するＣＰＲ＿ＭＡＩと、４バイトのサイズを有するＥＤＣとにより構成される。そして、属性は、データＩＤ中に記録される。【００６９】
具体的には、図５に示すように、４バイトのサイズを有するデータＩＤは、１バイトのサイズを有するセクタ情報（Sector Information）と、３バイトのサイズを有するセクタ番号（Sector Number）とを含んでいる。【００７０】
１バイトのサイズを有するセクタ情報は、１ビットのサイズを有するセクタフォーマットタイプ（Sector Format Type）と、１ビットのサイズを有するトラッキング方法（Tracking Method）と、１ビットのサイズを有する反射率（Reflectivity）と、１ビットのサイズを有するリザーブドエリア（Reserved Area）と、属性を示す２ビットのサイズを有するエリアタイプ（Area type）と、１ビットのサイズを有するデータタイプ（Data Type）と、１ビットのサイズを有するレイヤー番号（Layer Number）とを含んでいる。【００７１】
エリアタイプは、当該エリアタイプを含む物理セクタの属性を示している。具体的には、例えば、“００ｂ”が記録されていれば、物理セクタがデータエリア属性であることを示し、“０１ｂ”が記録されていれば、物理セクタがリードインエリア属性であることを示し、“１０ｂ”が記録されていれば、物理セクタがリードアウトエリア属性であることを示し、“１１ｂ”が記録されていれば、物理セクタがミドルエリア属性であることを示す。【００７２】
（情報記録再生装置）
（１）  基本構成
続いて、図６を参照して、本発明の情報記録装置に係る実施例としての情報記録再生装置２００について説明する。ここに、図６は、本実施例に係る情報記録再生装置２００の基本的な構成を概念的に示すブロック図である。尚、情報記録再生装置２００は、光ディスク１００にデータを記録する機能と、光ディスク１００に記録されたデータを再生する機能とを備える。【００７３】
図６に示すように、情報記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【００７４】
ディスクドライブ３００は、光ディスク１００、スピンドルモータ３５１、光ピックアップ３５２、信号記録再生手段３５３、ＣＰＵ（ドライブ制御手段）３５４、メモリ３５５データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【００７５】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００７６】
光ピックアップ３５２は、光ディスク１００への記録再生を行うために、例えば図示しない半導体レーザ素子と、コリメータレンズ及び対物レンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００７７】
信号記録再生手段３５３は、本発明における「記録手段」の一具体例を構成しており、ＣＰＵ３５４の制御を受けながらスピンドルモータ３５１と光ピックアップ３５２を制御することで、光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ１００内に設けられた半導体レーザ素子１１１を駆動する。ヘッドアンプは、光ピックアップ３５２の出力信号、即ち、光ビームの反射光を増幅し、該増幅した信号を出力する。【００７８】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００７９】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【００８０】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【００８１】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【００８２】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【００８３】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【００８４】
（２）  動作原理
続いて、図７から図１３を参照して、本実施例に係る情報記録再生装置２００による、光ディスク１００へのデータの記録の態様について説明する。ここに、図７は、本実施例に係る情報記録再生装置２００による光ディスク１００へのデータの記録が行われている際の、光ディスク１００上のデータ構造を概念的に示すデータ構造図であり、図８は、図７に示す状態に対してクイックグローフォーマット処理が行われた際の、光ディスク１００上の一のデータ構造を概念的に示すデータ構造図であり、図９は、図８に示す状態に対してデータの記録及びファイナライズ処理が行われた際の、光ディスク１００上のデータ構造を概念的に示すデータ構造図であり、図１０は、図７に示す状態に対してクイックグローフォーマット処理が行われた際の、光ディスク１００上の他のデータ構造を概念的に示すデータ構造図であり、図１１は、図９に示す状態に対して、クイックグローフォーマット処理、データの記録及びファイナライズ処理が行われた際の、光ディスク１００上のデータ構造を概念的に示すデータ構造図であり、図１２は、データエリア１０５（１１５）の全体にデータが記録されたときの、光ディスク１００上のデータ構造を概念的に示すデータ構造図であり、図１３は、図７から図１２における態様でデータの記録が行われた際の、光ディスク１００の論理ボリューム空間上のデータ構造を概念的に示すデータ構造図である。【００８５】
図７に示すように、クイックフォーマット処理が施された後に、本発明における「第１制御手段」の一具体例を構成するＣＰＵ３５４ないしは３５９の制御の下に、レイヤージャンプ記録が行われる。第１記録層のエリア１０５ａ、第２記録層のエリア１１５ａ、第２記録層のエリア１０５ｂ及び第２記録層のエリア１１５ｂ夫々に、黒い太線の矢印にて示す順にデータが記録される。【００８６】
その後、ファイナライズ処理が行われることで、リードインエリア１０２及びリードアウトエリア１１８に、リードインエリア属性又はリードアウトエリア属性が付与されながら所定のデータが記録される。加えて、本発明における「形成手段」の一具体例を構成するＣＰＵ３５４ないしはＣＰＵ３５９の制御の下に、エリア１０５ｂに続いてシフテッドミドルエリア１０６が形成され、エリア１１５ｂに続いてシフテッドミドルエリア１１６が形成される。【００８７】
その後、図７に示す状態の光ディスク１００に対してクイックグローフォーマット処理が行われるとする。この場合、図８に示すように、本発明における「第２制御手段」及び「フォーマット手段」の一具体例を構成するＣＰＵ３５４ないしは３５９の制御の下に、エリア１０５ｂに続いてデータエリア属性が付与されたエリア１０５ｃが確保され、該エリア１０５ｃに続いて中間リードアウトエリア１０８が確保される。つまり、クイックグローフォーマット処理は、シフテッドミドルエリア１０６の先頭部分から外周側に向かって行われる。より具体的には、エリア１０５ｂに続いて形成されたシフテッドミドルエリア１０６の属性をデータエリア属性に変更すると共に、該シフテッドミドルエリア１０６に続くエリアの属性をデータエリア属性に設定する。【００８８】
これにより、図９に示すように、エリア１０５ｂに続くエリア１０５ｃ及びエリア１１５ｂに続くエリア１１５ｃの夫々にデータを記録することができる。つまり、一度シフテッドミドルエリア１０６（１１６）が形成された記録領域にも、例えば映画や音楽等の各種コンテンツを含むデータを記録することができる。【００８９】
尚、図８におけるクイックグローフォーマット処理では、ホストコンピュータ４００から要求されるフォーマットサイズがシフテッドミドルエリア１０６のサイズよりも大きい場合について説明している。しかしながら、ホストコンピュータ４００から要求されるフォーマットサイズがシフテッドミドルエリア１０６のサイズよりも小さくともよい。この場合であっても、図１０に示すように、エリア１０５ｂに続いてデータエリア属性が付与されたエリア１０５ｃが確保されれば、図９に示すように、エリア１０５ｂ及びエリア１１５ｂに続いてデータを記録することができる。これは、ホストコンピュータ４００から要求されるフォーマットサイズが“０”である場合も同様である。【００９０】
或いは、必ずしもクイックグローフォーマット処理を行うことなく、エリア１０５ｂに続いて形成されたシフテッドミドルエリア１０６の属性をデータエリア属性に変更しながら所望のデータを直接的に記録するように構成してもよい。これは、以下の説明においても同様である。【００９１】
更に、エリア１０５ｃに続くエリア１０５ｄにデータを記録し、エリア１０５ｄに続くエリア１０５ｄにもデータを記録することができる。そして、ファイナライズ処理を行うことで、再度シフテッドミドルエリア１０６（１１６）が、エリア１０５ｄ（１１５ｄ）に続いて形成される。【００９２】
その後、図９に示す状態の光ディスク１００に対して、クイックグローフォーマット処理及びデータの記録が行われれば、図１１に示すように、エリア１０５ｄに続くエリア１０５ｅ及びエリア１１５ｄに続く１１５ｅにデータを記録することができる。そして、ファイナライズ処理が行われれば、再度シフテッドミドルエリア１０６（１１６）が、エリア１０５ｅ（１１５ｅ）に続いて形成される。【００９３】
以降は、データエリア１０５（１１５）の全体にデータが記録されるまで、上述の動作が繰り返される。データエリア１０５（１１５）の全体にデータが記録された後は、ファイナライズ処理が行われることにより、図１２に示すように、リードインエリア１０２、リードアウトエリア１１８、データエリア１０５（１１５）及び固定ミドルエリア１０９（１１９）が形成され、再生専用型の光ディスクとの確実な互換性が図られる。【００９４】
図７から図１２に示す態様でデータが記録されたときの、光ディスク１００の論理ボリューム空間上におけるデータ構造は、図１３に示される。光ディスク１００が図７に示す状態にあるときには、論理ボリューム空間上におけるデータ構造は、図１３（ａ）に示される。光ディスク１００が図８に示す状態にあるときには、論理ボリューム空間上におけるデータ構造は、図１３（ｂ）に示される。光ディスク１００が図９に示す状態にあるときには、論理ボリューム空間上におけるデータ構造は、図１３（ｃ）に示される。光ディスク１００が図１１に示す状態にあるときには、論理ボリューム空間上におけるデータ構造は、図１３（ｃ）に示される。光ディスク１００が図１２に示す状態にあるときには、論理ボリューム空間上におけるデータ構造は、図１３（ｄ）に示される。図１３に示すように、論理ボリューム空間上においても、一度シフテッドミドルエリア１０６（１１６）が形成された記録領域も、例えば映画や音楽等の各種コンテンツを含むデータを記録することができることが示されている。【００９５】
このように、シフテッドミドルエリア１０６（１１６）が形成された記録領域の属性を、クイックグローフォーマット処理によりデータエリア属性に変更することで、一度シフテッドミドルエリアが形成された記録領域に、例えば映画や音楽等の各種コンテンツを含むデータを記録することができる。つまり、シフテッドミドルエリア１０６（１１６）は、映画や音楽等の各種コンテンツを含むデータを記録することができない記録領域として残ることはなく、一度シフテッドミドルエリア１０６（１１６）が形成された記録領域に対しても、ユーザが望むデータを記録することができる。【００９６】
これにより、ユーザが望む各種データを記録することができる記録エリアの記録容量を減少させることはない。したがって、光ディスク１００の記録容量を効率的に利用しながら、複数の記録層にデータを効率的に記録するためには最適なレイヤージャンプ記録を行うことができる。つまり、単にシフテッドミドルエリアを形成しながらレイヤージャンプ記録を行うのみでは決して得ることのできない「光ディスク１００の記録容量を効率的に利用することができる」という優れた効果を、本実施例に係る情報記録装置２００によれば、享受することができる。【００９７】
尚、上述の実施例では、２層型の光ディスク１００を用いて説明を進めたが、２層型の光ディスク１００に限らず、３つ以上の記録層を有する光ディスクであっても、上述した各種構成を採用することで、上述した各種利益を享受することができる。【００９８】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【００９９】
本発明は、上述した実施例に限られるものではなく、請求の範囲及び明細書全体から読み取れる発明の要旨或いは思想に反しない範囲で適宜変更可能であり、そのような変更を伴なう情報記録装置及び方法、並びにコンピュータプログラムもまた本発明の技術的範囲に含まれるものである。
【産業上の利用可能性】
【０１００】
本発明に係る情報記録装置及び方法、コンピュータプログラムは、例えば、ＤＶＤレコーダ等の情報記録装置等に利用可能である。また、例えば民生用或いは業務用の各種コンピュータ機器に搭載される又は各種コンピュータ機器に接続可能な情報記録装置等にも利用可能である。
【図１】
2007072862.tif 000003
【図２】
2007072862.tif 000004
【図３】
2007072862.tif 000005
【図４】
2007072862.tif 000006
【図５】
2007072862.tif 000007
【図６】
2007072862.tif 000008
【図７】
2007072862.tif 000009
【図８】
2007072862.tif 000010
【図９】
2007072862.tif 000011
【図１０】
2007072862.tif 000012
【図１１】
2007072862.tif 000013
【図１２】
2007072862.tif 000014
【図１３】
2007072862.tif 000015
【国際調査報告】
2007072862.tif 000016
2007072862.tif 000017
2007072862.tif 000018
2007072862.tif 000019